(57)【要約】      （修正有）【課題】発電プラントなどのプラント建屋において、プラント建屋内に分解部品等の物体を置く際に、その物体の荷重に耐えられる面積をより多く確保する。【解決手段】天井クレーン１０のランウェイガーダ１６に敷設されたレール上を移動可能な吊り方式移動床を備え、この吊り方式移動床をプラント建屋の建屋床１８の上方を移動するようにする。吊り方式移動床は、例えば、レール上を走行する走行車輪部、走行車輪が取り付けられたサポート部、サポート部に連結されたアーム部１２、アーム部に取り付けられた床部１１とから構成される。【選択図】図１
2014065551.tif 000002
【特許請求の範囲】
【請求項１】
建屋壁と、建屋床と、向かい合う前記建屋壁に設けられた一対のランウェイガーダと、前記一対のランウェイガーダ上に敷設された一対の天井クレーン用レールと、前記一対の天井クレーン用レール上を走行する天井クレーンと、前記一対のランウェイガーダに前記天井クレーン用レールとは別に敷設された一対の床用レールと、前記床用レール上を移動可能な吊り方式移動床を備えたことを特徴とするプラント建屋。
【請求項２】
請求項１において、前記吊り方式移動床は、前記床用レール上を走行する走行車輪と、前記走行車輪が取り付けられたサポート部と、前記サポート部に連結され前記建屋床に向かって延びるアーム部と、前記アーム部の下方に取り付けられた床部とから構成されていることを特徴とするプラント建屋。
【請求項３】
プラント建屋の天井クレーン用のランウェイガーダに敷設されたレール上を移動可能であり、前記ランウェイガーダに前記レールを介して吊り下げ支持される吊り方式移動床であって、
前記レール上を走行する走行車輪と、前記走行車輪が取り付けられたサポート部と、前記サポート部に連結され前記プラント建屋の建屋床に向かって延びるアーム部と、前記アーム部の下方に取り付けられた床部とから構成されていることを特徴とする吊り方式移動床。
【請求項４】
請求項３において、前記床部は、前記建屋床と非接触であることを特徴とする吊り方式移動床。
【請求項５】
請求項３において、前記レールは、前記ランウェイガーダの下面に天井クレーン用レールとは別に敷設されたレールであり、前記走行車輪は、前記ランウェイガーダの下面に敷設されたレールに沿って移動可能なことを特徴とする吊り方式移動床。
【請求項６】
請求項３において、前記レールは、前記ランウェイガーダ上の天井クレーン用レールであり、前記走行車輪は、前記ランウェイガーダ上の天井クレーン用レールに沿って移動可能なことを特徴とする吊り方式移動床。
【請求項７】
請求項３において、前記走行車輪と前記サポート部と前記アーム部が一体化され、前記床部はボルトにより前記アーム部に分解可能に固定されていることを特徴とする吊り方式移動床。
【請求項８】
請求項３において、前記アーム部は、シリンダ構造になっており、油圧により伸縮可能な構造を有することを特徴とする吊り方式移動床。
【発明の詳細な説明】
【技術分野】
【０００１】
本発明は、プラント建屋及び吊り方式移動床に係り、特に、プラントに設置された機器を分解する時に、分解品を仮置きするのに好適な床を備えたプラント建屋に関するものである。
【背景技術】
【０００２】
発電プラントなどのプラント建屋では、特許文献１に示すように、数々の機器や配管が建屋内に収納されており、機器の保守、点検のための天井クレーンを建屋全域に亘って設置している。特許文献１では、蒸気タービン部分を包囲する天井の高い高建屋部と、この高建屋部に連設されて発電機部分を包囲する天井の低い低建屋部とによりプラント建屋を構成し、高建屋部にのみ天井クレーンを設置し、プラント建屋の構造のコンパクト化と強度増加を図っている。
【先行技術文献】
【特許文献】
【０００３】
【特許文献１】特開平9-79005号公報
【発明の概要】
【発明が解決しようとする課題】
【０００４】
プラント建屋は天井クレーンの走行を妨げないようにするため、建屋床は柱のない巨大な空間を有する構造となる。一方、建屋床について、機器の保守、点検の際の機器分解時に、分解部品を置ことが可能な強度を有する床の面積を確保する必要がある。さらに、近年、プラント大型化のために各機器の容量増大等が図られており、これに伴い機器の数量の増加や部品の大きさ、重量が増大する傾向にあり、強度を有する床の面積を確保することがより重要となる。
【０００５】
しかしながら、特許文献１を含めて、従来、プラント建屋内に分解部品等の物体を置く際に、その物体の荷重に耐えられる面積をより多く確保することについては、余り検討されていない。
【０００６】
本発明の目的は、発電プラントなどのプラント建屋において、プラント建屋内に分解部品等の物体を置く際に、その物体の荷重に耐えられる面積をより多く確保することにある。
【課題を解決するための手段】
【０００７】
本発明は、天井クレーンのランウェイガーダに敷設されたレール上を移動可能な吊り方式移動床を備え、この吊り方式移動床をプラント建屋の建屋床の上方を移動するようにしたことを特徴とする。
【発明の効果】
【０００８】
本発明によれば、プラント建屋内に分解部品等の物体を置く際に、その物体の荷重に耐えられる面積をより多く確保することが可能となる。
【０００９】
上記した以外の課題、構成及び効果は、以下の実施形態の説明により明らかにされる。
【図面の簡単な説明】
【００１０】
【図１】本発明の実施例の吊り方式移動床を備えたプラント建屋の概略図である。
【図２】本発明の実施例の吊り方式移動床の走行車輪とレールとの接触部付近の拡大図である。
【図３】本発明の実施例の吊り方式移動床の分解構造図である。
【図４】本発明の実施例の吊り方式移動床のアーム部の構成例を説明する図である。
【発明を実施するための形態】
【００１１】
以下、図面を用いて本発明の実施例を説明する。
【００１２】
図１は、本発明の実施例の吊り方式移動床を備えたプラント建屋の概略図を示す。プラント建屋は、建屋壁１４と、建屋床１８を備え、建屋床１８にはプラントを構成する機器（図示省略）が据え付けられている。建屋の両側の向かい合う建屋壁１４または支柱（図示省略）には天井クレーン１０の走行軌道を構成する一対のランウェイガーダ１６が天井近くに設けられている。ランウェイガーダ１６は、天井クレーン１０のレールが設けられ、建屋の両側の一対のレールは平行レールを構成する。天井クレーン１０は、平行レール上を走行し、プラントの機器の保守、点検の際に、分解品などの吊り上げ、移動、吊り下ろしを行う。
【００１３】
本発明では、このようなプラント建屋に、分解品などの物体を置く仮置床である吊り方式移動床を設けている。本実施例の吊り方式移動床はランウェイガーダ１６から吊るす構造であり、分解品１９などの物体を乗せた際にランウェイガーダに荷重が加わる構成となる。
【００１４】
図１及び図２に示すように、本実施例の吊り方式移動床は、床部１１と、アーム部１２と、サポート部１３と、走行車輪１７を備えている。床部１１に分解品が載置される。
【００１５】
図２は、本実施例における吊り方式移動床の走行車輪とレールとの接触部付近の拡大図である。
【００１６】
図２に示すように、ランウェイガーダ１６の上方には天井クレーン１０のレール２０が設けられている。天井クレーンの走行車輪３０がレール２０上を走行する。そして、ランウェイガーダ１６の下方には吊り下げ方式移動床が移動するためのレール１５が取り付けられている。レール１５は建屋壁の両側の一対のランウェイガーダ１６にそれぞれ設けられ、平行レールを構成する。
【００１７】
レール１５上を吊り下げ方式移動床の走行車輪１７が走行する。走行車輪１７はサポート部１３の上方に取り付けられている。サポート部１３の下面にはアーム部１２が連結されている。アーム部１２はその高さ位置が変更可能なように構成されている。アーム部１２の下方（下端）には、床部１１が取り付けられている。建屋両側に位置する一対のアーム部１２により床部１１が保持される。床部１１は、建屋床１８を横断する形で設けられている。また、床部１１は、建屋床１８に非接触である。
【００１８】
本実施例の構造を用いることで、吊り方式移動床は、走行車輪１７により、天井クレーンのランウェイガーダ１６の下に設けたレール１５に沿って移動可能である。また、床部１１に乗せた物体の荷重は、サポート部１３、走行車輪１７、レール１５を介して、天井クレーンのランウェイガーダ１６に加わる。従って、本実施例の構造を用いることで、床部１１に乗せた物体の荷重が建屋床１８に加わらないため、建屋床１８の耐圧荷重値に影響されること無く物体を置くことが可能になる。換言すれば、プラント建屋内に物体を置く際に、そこに加わる荷重を建屋床以外に加えるように構成された面積（例えば分解スペース）を増設することが可能となる。
【００１９】
また、本実施例では、天井クレーンのレール２０がランウェイガーダ１６の上方に設けられ、吊り方式移動床のレール１５がランウェイガーダ１６の下方に設けられているので、天井クレーン２０と吊り方式移動床の移動が干渉しないようになっている。
【００２０】
定期検査等の機器分解時には、天井クレーン１０を用いて、分解品１９を吊り方式移動床を置くことができる。本実施例の吊り方式移動床を検査対象の機器のそばまで移動することによって、分解品を検査対象の機器の直ぐそばに置くことが可能となる。従って、従来、分解品を検査対象の機器から遠く離れた仮置き場まで移動させる必要がなくなり、作業性が飛躍的に向上する。また、仮置き場のスペース拡大にもつながる。
【００２１】
図３に吊り方式移動床の構成例を示す。図３に示すように、吊り方式移動床は、走行車輪（図示省略）とサポート部１３とアーム部１２が一体化されたものと、複数の床部１１を大型ボルトで固定する構造であり、分解可能な構造である。この構造を用いることで、プラントの機器の保守、点検などの使用時以外は、レール１５から取り外して格納場所に保管したり、または別の場所で使用することが可能となる。
【００２２】
図４に吊り方式移動床のアーム部の構成例を示す。上述したように、アーム部１２はその高さ位置が変更可能なように構成されている。本実施例では、図４に示すように、吊り方式移動床のアーム部１２は、シリンダ形状になっており、油圧により伸縮可能な構造となっている。この構造を用いることで、機器分解時は、床部１１を、分解品１９を乗せる高さに、終了後は上方に移動させることで、床部１１の下のスペース有効利用できる。
【００２３】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【００２４】
例えば、上述の実施例では、吊り方式移動床のレールをランウェイガーダ１６の下方に設けた場合について説明したが、天井クレーンのレール２０を走行するように構成しても良い。この場合、天井クレーン２０を用いて吊り方式移動床に分解品を載せるようにするためには、例えば、天井クレーン２０として親子クレーン方式のクレーンを用いる。
【符号の説明】
【００２５】
11  床部
12  アーム部
13  サポート部
14  建屋壁
15  レール
16  ランウェイガーダ
17  走行車輪
18  建屋床
19  分解品
【図１】
2014065551.tif 000003
【図２】
2014065551.tif 000004
【図３】
2014065551.tif 000005
【図４】
2014065551.tif 000006